(57)【特許請求の範囲】
【請求項１】
測定した生体情報の波形をディスプレイに表示する生体情報測定装置であって、
ユーザーによる入力装置の入力操作に基づいて、ディスプレイ上にキャリパー計測のための複数の計測ラインを設定するライン設定部と、
設定された前記複数の計測ラインの間の区間長を求めて前記ディスプレイに表示する区間長算出部と、
を有し、
前記ライン設定部は、
ユーザーにより前記入力装置の第１の操作子を用いた入力操作が行われたときの操作信号に基づいて、前記計測ラインとして計測開始ライン及び計測終了ラインの種別及び位置の設定を行い、ユーザーにより前記入力装置の前記第１の操作子とは異なる操作子を含む第２の操作子を用いた入力操作が行われたときの操作信号に基づいて、前記計測ラインとして区間長の計測終了と計測開始とを兼用する中間ラインの種別及び位置の設定を行い、
前記区間長算出部は、前記中間ラインの前後の区間の区間長を算出することで、連続キャリパーを行う、
生体情報測定装置。
【請求項２】
前記ディスプレイに表示される波形は、心内心電波形である、
請求項１に記載の生体情報測定装置。
【発明の詳細な説明】
【技術分野】
【０００１】
本発明は、ディスプレイ上に計測ラインを設定し、設定した計測ラインの間の区間長を求めてディスプレイに表示することができる生体情報測定装置に関する。
【背景技術】
【０００２】
従来、心電計などの生体情報測定装置には、キャリパーと呼ばれる機能が搭載されたものが多い。キャリパーは、ユーザーによってマウス等を用いてディスプレイ上に設定された計測ラインの間の区間長を生体情報測定装置の演算処理ユニットで自動計算して、ディスプレイ上に表示させるものである（例えば特許文献１参照）。
【０００３】
このようなキャリパー機能によって、ユーザーは、自分が確認したい心電図のＲ−Ｒ間隔や、血圧波形の振幅などを自由に計測できるようになる。
【先行技術文献】
【特許文献】
【０００４】
【特許文献１】特開２０１３−１５０８５７号公報
【発明の概要】
【発明が解決しようとする課題】
【０００５】
ところで、区間長計測の基になる計測ラインは、ディスプレイ上の所望の位置でマウスをクリックすることで設定するのが一般的である。例えば、計測開始ラインはマウスをクリックした位置に設定し、計測終了ラインは次にマウスをクリックした位置に設定するといった設定方法が考えられる。
【０００６】
しかしながら、このような設定方法では、計測ラインの設定位置によっては、設定が困難な場合や設定に手間がかかる場合がある。
【０００７】
本発明は、計測ラインを設定する位置の態様を検討してなされたものであり、区間長計測に便利な計測ラインを設定できるとともに、その計測ラインを設定するのに要する手間を軽減できる生体情報測定装置を提供する。
【課題を解決するための手段】
【０００８】
本発明の生体情報測定装置の一つの態様は、
測定した生体情報の波形をディスプレイに表示する生体情報測定装置であって、
ユーザーによる入力装置の入力操作に基づいて、ディスプレイ上にキャリパー計測のための複数の計測ラインを設定するライン設定部と、
設定された前記複数の計測ラインの間の区間長を求めて前記ディスプレイに表示する区間長算出部と、
を有し、
前記ライン設定部は、
ユーザーにより前記入力装置の第１の操作子を用いた入力操作が行われたときの操作信号に基づいて、前記計測ラインとして計測開始ライン及び計測終了ラインの種別及び位置の設定を行い、ユーザーにより前記入力装置の前記第１の操作子とは異なる操作子を含む第２の操作子を用いた入力操作が行われたときの操作信号に基づいて、前記計測ラインとして区間長の計測終了と計測開始とを兼用する中間ラインの種別及び位置の設定を行い、
前記区間長算出部は、前記中間ラインの前後の区間の区間長を算出することで、連続キャリパーを行う。
【発明の効果】
【０００９】
本発明によれば、計測開始ライン及び計測終了ラインに加えて、計測開始ラインと計測終了ラインとの間に区間の計測開始と計測終了とを兼用する中間ラインを設定して連続してキャリパー計測を行うことができるようにしたことにより、区間長計測に便利な計測ラインを設定できるとともに、その計測ラインを設定するのに要する手間を軽減できるようになる。
【図面の簡単な説明】
【００１０】
【図１】実施の形態に係るポリグラフの全体構成を示す概略図
【図２】キャリパー機能を実現するための構成を示すブロック図
【図３】実施の形態による計測ラインの設定例を示す図
【図４】比較例による計測ラインの設定例を示す図
【図５】心電図が表示されたディスプレイに計測ラインを設定した様子を示す図
【発明を実施するための形態】
【００１１】
以下、本発明の実施の形態について、図面を参照して詳細に説明する。
【００１２】
＜ポリグラフの全体構成＞
図１は、本実施の形態によるポリグラフ１００の全体構成を示す外観図である。本実施の形態のポリグラフ１００は、心臓カテーテル用検査装置として用いられるポリグラフである。また、ポリグラフ１００は、体表面心電図及び心内心電図を計測及び解析する機能を有する。このため、ポリグラフ１００は心電図検査システムと呼ぶこともできる。
【００１３】
ポリグラフ１００は、本体ユニット２００と、インターフェースユニット３００と、ＥＰＳ（Electrophysiological Study：電気生理学的検査）ユニット４００と、を有する。本体ユニット２００とインターフェースユニット３００はケーブルＬ１によって接続されており、インターフェースユニット３００とＥＰＳユニット４００はケーブルＬ２によって接続されている。なお、図では、インターフェースユニット３００を介して本体ユニット２００とＥＰＳユニット４００を接続した例を示しているが、本体ユニット２００とＥＰＳユニット４００をケーブルＬ２によって直接接続してもよい。
【００１４】
本体ユニット２００には、専用キーボード１１、キーボード１２、マウス１３等の入力装置１０と、複数のディスプレイ２０（２１、２２、２３）と、サーマルレコーダ３０等の記録装置と、が接続されている。また、本体ユニット２００には、インターフェースユニット３００が接続されている。本体ユニット２００は、ポリグラフ１００の中央処理ユニットとしての機能を有する。本体ユニット２００は、インターフェースユニット３００を介して入力した各生体情報に対してプログラムに従った演算処理や解析処理を施すことにより、各生体情報を所望の表示形態でディスプレイ２０に表示する。また、本体ユニット２００は、入力装置１０から入力された操作信号に基づいて、各生体情報の表示形態や、インターフェースユニット３００及びＥＰＳユニット４００、並びにそれらに接続される各装置の動作を制御するようになっている。
【００１５】
インターフェースユニット３００は、ＥＣＧ（心電図）用入力端子、非観血血圧用入力端子、ＳｐＯ２用入力端子及び体温用入力端子などからなる生体情報入力端子群３１０を有する。また、インターフェースユニット３００は、ＥＣＧ用出力端子３１１及び観血血圧用出力端子３１２を有する。また、インターフェースユニット３００は、専用キーボードを接続するための入力端子３１３等を有する。
【００１６】
インターフェースユニット３００には、アンプが内蔵されており、生体情報入力端子群３１０から入力された所定の信号はアンプによって増幅された後に本体ユニット２００に出力される。
【００１７】
ＥＰＳユニット４００は、刺激用のケーブルが接続される端子４１１、アブレーター用のケーブルが接続される端子４１２を有し、ＥＰＳユニット４００は、これらの端子４１１、４１２を介して刺激装置（図示せず）及びアブレーター装置（図示せず）と接続される。また、ＥＰＳユニット４００は、体表面心電図用入力端子４１３を有し、この端子４１３には被検者の体表に装着された電極が接続される。これにより、刺激装置によって心臓の所定部位に刺激を与えたときの体表面心電図を得ることができる。本実施の形態の場合には、体表面心電図用入力端子４１３には１２誘導心電図を得るための電極が接続される。
【００１８】
さらに、ＥＰＳユニット４００は、中継ボックス５００、５１０が接続される端子４１４、４１５を有する。各中継ボックス５００、５１０には、電極カテーテルに設けられた各電極に対応する端子を接続するための多数の端子６００が設けられている。
【００１９】
本実施の形態の場合には、１つの中継ボックス５００（５１０、５２０、５３０）に双極で４０チャネル（つまり８０個の端子６００）が設けられている。ＥＰＳユニット４００は２つの中継ボックス５００、５１０を接続できるようになっており、従ってＥＰＳユニット４００は８０（＝２×４０）チャネル分の心内心電波形を入力可能とされている。
【００２０】
さらに、ＥＰＳユニット４００には、拡張用のＥＰＳユニット４１０が接続可能とされている。拡張用ＥＰＳユニット４１０も２つの中継ボックス５２０、５３０を接続できるようになっており、従ってＥＰＳユニット４００は拡張用ＥＰＳユニット４１０を接続すれば、１６０（＝４×４０）チャネル分の心内心電波形を入力することができる。
【００２１】
ＥＰＳユニット４００には、アンプが内蔵されており、中継ボックス５００、５１０、５２０、５３０から入力された心内心電波形はアンプによって増幅された後、インターフェースユニット３００を介して本体ユニット２００に送出される。また、刺激用のケーブルが接続される端子４１１から入力された刺激装置（図示せず）からの刺激信号は中継ボックス５００（５１０、５２０、５３０）を介して電極カテーテル（図示せず）に出力される。さらに、実際に電極カテーテルによって心臓に与えられた刺激信号に基づく刺激波形は、心内心電波形と共にＥＰＳユニット４００のアンプによって増幅された後、インターフェースユニット３００を介して本体ユニット２００に送出される。また、ＥＰＳユニット４００は、ＥＣＧ用出力端子４１６、スピーカ４１７を有する。
【００２２】
＜キャリパーの設定＞
本実施の形態のポリグラフ１００は、キャリパー機能を有する。キャリパー機能は、本体ユニット２００によって実行される。
【００２３】
図２は、キャリパー機能を実現するための構成を示す。入力装置１０におけるキー操作やマウス操作によって得られた操作信号は、表示制御部２０１及びライン設定部２０２に送られる。表示制御部２０１は、操作信号に基づいてディスプレイ２０上でのカーソルの位置などを変更する。
【００２４】
ライン設定部２０２は、操作信号に基づいて、計測開始ライン、計測終了ライン、及び、計測開始と計測終了とを兼用する中間ラインを設定する。設定された各計測ラインは、表示制御部２０１を介してディスプレイ２０に表示される。また、設定された各計測ラインの情報は、区間長算出部２０３に送られる。
【００２５】
区間長算出部２０３は各計測ライン間の区間長を算出する。算出された区間長は、表示制御部２０１を介してディスプレイ２０に表示される。
【００２６】
図３は、本実施の形態による計測ラインの設定例を示す図である。ディスプレイ上には心内心電波形などの波形が表示されている。そのような画面において、先ず、マウス１３の左クリックボタンを押したままにすると計測開始ラインＬＳが表示される。次に、左クリックボタンを押したままで所望の位置に計測開始ラインＬＳを移動させて左クリックボタンを離すことでその位置に計測開始ラインＬＳが設定される。
【００２７】
次に、その状態でマウス１３を左右に動かすとそれに応動して計測ラインが移動し、所望の位置に計測ラインを移動させてコントロールキー（Ｃｔｒｌ）を押しながらマウス１３の左クリックボタンを押すことでその位置に中間ラインＬ１が設定される。次に、その状態でマウス１３を左右に動かすとそれに応動して計測ラインが移動し、所望の位置に計測ラインを移動させてコントロールキー（Ｃｔｒｌ）を押しながらマウス１３の左クリックボタンを押すことでその位置に中間ラインＬ２が設定される。
【００２８】
次に、その状態でマウス１３を左右に動かすとそれに応動して計測ラインが移動し、所望の位置に計測ラインを移動させてマウス１３の左クリックボタンを押すことでその位置に計測終了ラインＬＥが設定される。
【００２９】
ここで、中間ラインＬ１、Ｌ２は、計測開始と計測終了とを兼用するラインである。区間長算出部２０３は、設定操作の違いから、計測開始ラインＬＳと計測終了ラインＬＥと中間ラインＬ１、Ｌ２とを識別して、計測開始ラインＬＳと中間ラインＬ１との間の区間長（５０ｍｓ）、中間ラインＬ１と中間ラインＬ２との間の区間長（２５ｍｓ）、中間ラインＬ２と計測終了ラインＬＥとの間の区間長（４０ｍｓ）を算出する。このような計測開始と計測終了とを兼用する中間ラインＬ１、Ｌ２を設けたことにより、連続した区間の区間長を算出して表示可能な連続キャリパーを容易に実現できるようになる。
【００３０】
図４は、本実施の形態に対する比較例を示す図である。実施の形態と同様の連続キャリパーを行うためには、先ず、計測開始ラインＬＳ１と計測終了ラインＬＥ１を設定する。次に、計測終了ラインＬＥ１と同じ位置に計測開始ラインＬＳ２を設定し、計測終了ラインＬＥ２を設定する。次に、計測終了ラインＬＥ２と同じ位置に計測開始ラインＬＳ３を設定し、計測終了ラインＬＥ３を設定する。ここで、計測終了ラインＬＥ１と丁度同じ位置に計測開始ラインＬＳ２を設定する操作、及び、計測終了ラインＬＥ２と同じ位置に計測開始ラインＬＳ３を設定する操作は、実際上困難である。また、実施の形態と比較して計測ラインを設定するのに要する操作数が増えて手間がかかることになる。これに対して、本実施の形態では、計測開始と計測終了とを兼用する中間ラインＬ１、Ｌ２を設けたことにより、連続キャリパーを設定する手間を軽減できる。
【００３１】
図５は、心電図が表示されたディスプレイ２０上に本実施の形態の計測ラインを設定した様子を示す図である。図５の波形は、頻拍中に右心室尖部からＨｉｓ束の不応期のタイミングで単発期外刺激を入れた際の体表心電図（ＩＩ、Ｖ１）及び心内心電図（ＨＲＡ１−２、ＨＢＥ５−６、………、ＲＶＡ３−４、ＲＶＡ１−２）を示す。
【００３２】
ＨＲＡ１−２のピーク位置に計測開始ラインＬＳ及び計測終了ラインＬＥに加えて、中間ラインＬ１〜Ｌ６を設定することにより、連続キャリパーが行われている。この連続キャリパーを行うことによって、心室期外刺激によりその刺激スパイクを挟んだ区間長（ＡＡ間隔）は、頻拍中よりも短縮していることが一目で見て取れる。これにより、室房伝導が副伝導路を介していると判断できる。
【００３３】
以上説明したように、本実施の形態によれば、計測開始ラインＬＳ及び計測終了ラインＬＥに加えて、計測開始ラインＬＳと計測終了ラインＬＥとの間に区間の計測開始と計測終了とを兼用する中間ラインＬ１、Ｌ２、………を設定して連続キャリパーを行うようにしたことにより、区間長計測に便利な計測ラインを設定できるとともに、その計測ラインを設定するのに要する手間を軽減できるようになる。
【００３４】
なお上述の実施の形態で示した計測開始ライン、計測終了ライン及び中間ラインの設定の仕方は好ましい一例であって、各ライン設定に割り当てる操作は上述した実施の形態に限らない。但し、中間ラインに設定に割り当てる設定操作は、計測開始ライン又は計測終了ラインの設定操作に所定の設定操作を加えたものであることが好ましい。つまり、実施の形態では、中間ラインの設定操作には、計測終了ラインの設定操作である左クリックボタンに加えてコントロールキーを押すといった操作が割り当てられている。このようにすることで、計測開始ラインや計測終了ラインの設定操作と似たような操作で中間ラインを設定できるので、中間ラインを煩わしくない操作で設定できるようになる。
【００３５】
また、上述の実施の形態では、中間ラインＬ１、Ｌ２を設定した後に、マウス１３の左クリックボタンが押されると計測終了ラインＬＥが設定される場合について述べたが、計測終了ラインＬＥの設定の仕方はこれに限らず、中間ラインが計測終了ラインを兼ねてもよい。例えば、計測終了ラインＬＥが設定されていない場合には、一番後方の中間ライン（実施の形態の場合、中間ラインＬ２（図３）、Ｌ６（図５））を計測終了ラインにしてもよい。
【００３６】
なお上述の実施の形態では、本発明をポリグラフ１００に適用した場合について述べたが、ポリグラフ１００以外の生体情報測定装置にも広く適用可能である。
【００３７】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００３８】
本発明は、キャリパー機能を有する生体情報測定装置に適用し得る。
【符号の説明】
【００３９】
１０  入力装置
２０  ディスプレイ
１００  ポリグラフ
２００  本体ユニット
２０１  表示制御部
２０２  ライン設定部
２０３  区間長算出部
３００  インターフェースユニット
４００  ＥＰＳ（Electrophysiological Study：電気生理学的検査）ユニット
５００、５１０、５２０、５３０  中継ボックス
ＬＳ  計測開始ライン
ＬＥ  計測終了ライン
Ｌ１〜Ｌ６  中間ライン
【図１】
0006445291.tif 000002
【図２】
0006445291.tif 000003
【図３】
0006445291.tif 000004
【図４】
0006445291.tif 000005
【図５】
0006445291.tif 000006